(57)【要約】      （修正有）【課題】犬の首輪や赤ん坊のエプロンに装着でき、効果的でありコンパクトで低価格な、犬の吠声あるいは赤ん坊の泣き声を低減することが可能な騒音低減装置を提供する。【解決手段】本騒音低減装置は、犬１の首輪７に装着されており、犬の声帯に位置する喉２に接して設けられたマイクロフォン２、位相反転増幅器４、犬の声帯に近接して設けられたスピーカ５、およびバッテリー６等で構成され、騒音源と共に移動するので、騒音源の移動速度や移動した場所にかかわらず騒音低減効果が期待できる。【選択図】図１
0003105199.tif 000002
【実用新案登録請求の範囲】
【請求項１】
点騒音源に近接してマイクロフォンを取り付け、該マイクロフォンにより点騒音源の音を検出し受音信号として位相反転増幅回路に入力し、該位相反転増幅器の出力をスピーカに入力し、該スピーカを点騒音源に近接して設けて、点騒音源の音に対し逆位相の音を該スピーカから出すようにしたことを特徴とする騒音低減装置。
【請求項２】
犬の声帯位置に相当する喉に近接してマイクロフォンを設け、該マイクロフォンにより犬の吠え声を検出し受音信号として位相反転増幅回路に入力し、該位相反転増幅器の出力をスピーカに入力し、該スピーカを犬の声帯に近接して設けて、該喉と該マイクロフォンおよび該スピーカとの距離を１５ｍｍ以下となるようにした上で、犬の吠え声に対し逆位相の音を該スピーカから出すことにより犬の吠え声を低減するようにしたことを特徴とする騒音低減装置。
【請求項３】
上記請求項２に記載する騒音低減装置を犬の首輪に装着できる手段を設けたことを特徴とする騒音低減装置。
【請求項４】
赤ん坊の声帯位置に相当する喉に接してマイクロフォンを設け、該マイクロフォンにより赤ん坊の泣き声を検出し受音信号として位相反転増幅回路に入力し、該位相反転増幅器の出力をスピーカに入力し、該スピーカを声帯上の喉に近接して設け、該喉と該マイクロフォンおよび該スピーカとの距離を１５ｍｍ以下となるようにした上で、赤ん坊の泣き声に対し逆位相の音を該スピーカから出すことにより泣き声を低減するようにしたことを特徴とする騒音低減装置。
【請求項５】
上記請求項４に記載する騒音低減装置を赤ん坊のエプロン、よだれかけ等の付属衣類に装着できる手段を設けたことを特徴とする騒音低減装置。
【考案の詳細な説明】
【技術分野】
【０００１】  この考案はアクティブノイズコントロールを応用した騒音低減装置に関する。
【背景技術】
【０００２】  従来、アクティブノイズコントロールを応用したノイズ低減装置、消音装置、あるいは騒音低減装置として、騒音を打ち消すための騒音と逆位相の音を発生させる装置が提案されている。【０００３】  しかしながら、その多くは装置が複雑で高価なものである。装置が高価で複雑となる理由は、騒音源が移動する場合や、騒音源の面積が大きく実質的に複数の音源と見なせる場合が多いからである。【０００４】  騒音源が移動する場合や、騒音源の面積が大きい場合、その騒音を打ち消すための逆位相の音を生成するためには、通常高価なＤＳＰ（ディジタル・シグナル・プロセサー）を用いてリアルタイムでの騒音位相のディジタル演算処理を必要とする。【０００５】  騒音源の音と逆位相の音を発生させる上で問題となるのは、騒音を打ち消すための騒音と逆位相の音の音源と騒音源との位置関係が一定でない場合や、複数の位置関係となる場合である。なぜならば、逆位相に設定されていても、音の波長の２分の１ほど位置関係がずれると、同位相となって音を打ち消すどころか、音を増幅することになるからである。加えて、騒音は複数の周波数成分から構成されているのが通常であり、問題をさらに複雑にしている。【０００６】  しかしながら、上述したような複雑高価な騒音低減装置が一般化しているため、騒音源が実質的に点と見なせる対象でも、簡単な構成で安価であり効果的な騒音低減装置の出現が見られない。【０００７】  例外的に簡単安価で効果的な騒音低減装置が特願平１１−１８８２８１で提案されている。これは、ヘッドフォンに騒音と逆位相の音を発生させて周辺のノイズをキャンセルさせた装置である。しかしながら、騒音源の音を低減させるのではなく耳に入る騒音をキャンセルして除去するもので、複数の人の耳に入る騒音を除去するためには複数の装置を必要とする。
【考案の開示】
【考案が解決しようとする課題】
【０００８】  本考案は上記した従来の問題点を解決し、点騒音源とみなせる犬の吠え声や赤ん坊の泣き声等を低減する安価で効果的な騒音低減装置を提供する。【０００９】  上記の課題を解決するためになされた本発明は、請求項１によれば、点騒音源に接してマイクロフォンを取り付け、該マイクロフォンにより点騒音源の音を検出し受音信号として位相反転増幅回路に入力し、該位相反転増幅器の出力をスピーカに入力し、該スピーカを点騒音源に近接して設け、点騒音源の音に対し逆位相の音を該スピーカから出すようにしたことを特徴とする。【００１０】  また、請求項２によれば、犬の声帯位置に相当する喉に接してマイクロフォンを設け、該マイクロフォンにより犬の吠え声を検出し受音信号として位相反転増幅回路に入力し、該位相反転増幅器の出力をスピーカに入力し、該スピーカを犬の声帯上の喉に近接して設け、該喉と該マイクロフォンおよび該スピーカとの距離を１５ｍｍ以下となるようにした上で、犬の吠え声に対し逆位相の音を該スピーカから出すことにより犬の吠え声を低減するようにしたことを特徴とする。【００１１】  また、請求項３によれば、請求項２に記載の装置を具体化する上で、騒音低減装置を犬の首輪に装着できる手段を設けたことを特徴とする。【００１２】  また、請求項４によれば、赤ん坊の声帯位置に相当する喉に接してマイクロフォンを設け、該マイクロフォンにより赤ん坊の泣き声を検出し受音信号として位相反転増幅回路に入力し、該位相反転増幅器の出力をスピーカに入力し、該スピーカを赤ん坊の声帯上の喉に近接して設け、該喉と該マイクロフォンおよび該スピーカとの距離を１５ｍｍ以下となるようにした上で、赤ん坊の泣き声に対し逆位相の音を該スピーカから出すことにより泣き声を低減するようにしたことを特徴とする。【００１３】  さらに、請求項５によれば、請求項４に記載の装置を具体化する上で、騒音低減装置を赤ん坊のエプロン、よだれかけ等の付属衣類に装着できる手段を設けたことを特徴とする。
【考案の効果】
【００１４】  犬の吠え声、および赤ん坊の泣き声は、いずれもその音源は声帯にある。声帯は小さく実用的には点騒音源とみなせる。したがって、声帯が位置する喉に接してマイクロフォンを設置しておけば、点騒音源の音を位相遅れが実用的には無視できるレベルで受信することができる。同様に、声帯が位置する喉に接近してスピーカを設置すれば、点騒音源の音に対して逆位相の音を点騒音源に接近して発することができ、点騒音源の音と該逆位相の音は、位相差が１８０度に近くなり、騒音低減効果が充分となる。【００１５】  考案者らの実験計測によれば、犬の吠え声の周波数分析を行なった結果、音圧レベルの高い周波数は２ｋＨｚ以下にあった。２ｋＨｚの音の波長は、約１８０ｍｍであり音源である声帯とスピーカの距離が１５ｍｍあっても、位相のずれは３０度以下となり、実用上位相の設定誤差は問題ないレベルとなり、充分な騒音低減効果が得られる。【００１６】  また、本考案に基づく騒音低減装置では、犬の首輪や赤ん坊のエプロン等に装着することによって、騒音源と共に移動するので、騒音源の移動速度や移動した場所にかかわらず騒音低減効果が期待できる。
【考案を実施するための最良の形態】  以下に図面を参照して本考案に係わる実施の形態例を詳細に説明する。
なお、本考案は以下に説明する構成の相対位置、数値等に何ら限定されるものではなく、特に特定的な記載がない限り本発明の範囲を以下の記載に限定するものではない。【００１７】  本考案の実施例を図にしたがって説明する。図１は、本考案による犬の吠え声低減装置の構成を説明する図である。図２は本考案による犬の吠え声低減装置の機能的構成を示し、機器と信号の流れを説明する図である。【００１８】  図１において、犬１の喉２は声帯があり、該喉２に接してマイクロフォン３が設置されている。マイクロフォン３で受信した犬１の吠え声は、位相反転増幅器４を介してスピーカ５に送られ、スピーカ５から犬の吠え声８と逆位相の音９が発せられるようになっている。【００１９】  バッテリー６、該位相反転増幅器４、マイクロフォン３およびスピーカ５は、図示しない保持部材によって首輪７に取り付けられている。【００２０】  図２において、声帯の上にある喉２に接しているマイクロフォン３で受信した吠え声は信号線１０を介して位相反転増幅器４に入力される。該位相反転増幅器４の出力は信号線１１を介してスピーカ５に送られる。【００２１】  次に、図１に基づいて、本考案による騒音低減装置の作用と効果を説明する。犬の口から発せられる吠え声８も音源は喉２の下の声帯にある。したがって、声帯に近接して設けられたマイクロフォン３で検出された犬の吠え声に基づいて生成される逆位相の音９は、口から発せられた吠え声を低減する作用を有する。【００２２】  近年、ペットブームにより団地やアパートで犬を飼育する家庭が増えたが、一方で犬の吠え声は近所迷惑となっている。本考案による騒音低減装置では、移動する犬の喉に設置することができるため、周辺住民からの苦情を抑制できる。また、装置が簡単で安価にできる。
【産業上の利用可能性】
【００２３】  本考案の適用対象として実施例では犬の吠え声低減に適用する例を説明した。赤ん坊の泣き声低減に関しても同様の方法で適用することができる。
また、クラリネットやフルートなどの管楽器演奏の練習を室内で行なう場合、室外に漏れる音を低減する場合、管楽器の端部から音が出るので、端部を点騒音源と見なすことができ、本考案を適用することができる。
【図面の簡単な説明】
【００２４】
【図１】本考案による犬の吠え声低減装置の構成を説明する図
【図２】本考案による犬の吠え声低減装置の機能的構成を示し、機器と信号の流れを説明する図
【符号の説明】
１    犬
２    声帯の上にある喉
３    マイクロフォン
４    位相反転増幅器
５    スピーカ
６    バッテリー
７    首輪
８    犬の吠え声
９    逆位相の音
１０  信号線
１１  信号線
【図１】
0003105199.tif 000003
【図２】
0003105199.tif 000004